(57)【要約】【課題】レンズ保持部材に対するレンズの組付を容易とする共に、レンズをレンズ保持部材に高精度に組み付ける。【解決手段】レンズ２の外周部を保持する保持枠６と、保持枠６の内周部に設けられ、保持枠６に嵌め込まれたレンズ２の一面が当接される当接部７ａと、保持枠６に設けられ、レンズ２の外周面を径方向に押圧することで、レンズ２を保持枠６の内周面の一方側に片寄する押圧部１０と、保持枠６の内周面に設けられ、押圧部１０からの押圧により一方側に片寄せされたレンズ２の外周面の少なくとも２箇所と当接される位置決め部１２と、保持枠６の端縁部に設けられ、熱変形によりかしめられることで保持枠６に嵌め込まれたレンズ２の外周部を光軸方向の一方側に押圧し、当接部７ａとの間でレンズ２を固定するカシメ部１３とを有する。【選択図】  図１
2004347996.tif 000002
【特許請求の範囲】
【請求項１】
レンズの外周部を保持する保持枠と、
上記保持枠の内周部に設けられ、上記保持枠に嵌め込まれたレンズの一面が当接される当接部と、
上記保持枠に設けられ、上記レンズの外周面を径方向に押圧することで、上記レンズを上記保持枠の内周面の一方側に片寄せする押圧部と、
上記保持枠の内周面に設けられ、上記押圧部からの押圧により上記一方側に片寄せされたレンズの外周面の少なくとも２箇所と当接される位置決め部と、
上記保持枠の端縁部に設けられ、熱変形によりかしめられることで上記保持枠に嵌め込まれたレンズの外周部を光軸方向の一方側に押圧し、上記当接部との間でレンズを固定するカシメ部とを有するレンズ保持部材。
【請求項２】
上記押圧部には、熱変形によって上記レンズの外周面を径方向に押圧する熱変形部が設けられていることを特徴とする請求項１記載のレンズ保持部材。
【請求項３】
上記押圧部には、治具を挿入するための治具挿入部が設けられており、前記治具挿入部から挿入された治具によって上記レンズの外周面が径方向に押圧されること特徴とする請求項１記載のレンズ保持部材。
【請求項４】
上記押圧部には、上記保持枠の内周面から突出する突起部が設けられており、上記保持枠に嵌め込まれた上記レンズに前記突起部が押し潰されることによって、上記レンズの外周面が径方向に押圧されることを特徴とする請求項１記載のレンズ保持部材。
【請求項５】
上記押圧部には、上記レンズの径方向に弾性変位可能な弾性変位部が設けられており、上記保持枠に嵌め込まれた上記レンズの外周面に前記弾性変位部が当接されて弾性変位することによって、上記レンズの外周面が径方向に押圧されることを特徴とする請求項１記載のレンズ保持部材。
【請求項６】
上記弾性変位部は、上記保持枠と一体に形成されていることを特徴とする請求項５記載のレンズ保持部材。
【請求項７】
上記保持枠には、複数のレンズが互いの光軸を一致させた状態で保持されることを特徴とする請求項１記載のレンズ保持部材。
【請求項８】
レンズ保持部材にレンズを組み付ける際に、
上記レンズ保持部材に、上記レンズの外周部を保持する保持枠と、前記保持枠の内周部に上記レンズの一面が当接される当接部と、前記保持枠に上記レンズの外周面を径方向に押圧する押圧部と、前記保持枠の内周面に上記レンズの外周面の少なくとも２箇所と当接される位置決め部と、前記保持枠の端縁部に熱変形によりかしめられるカシメ部とを設け、
上記保持枠に嵌め込まれた上記レンズの外周面を上記押圧部から径方向に押圧することによって、上記レンズを上記保持枠の内周面の上記一方側に片寄せし、上記レンズの外周面の少なくとも２箇所を上記位置決め部に当接させた状態から、上記カシメ部を熱変形させてかしめることによって、上記保持枠に嵌め込まれたレンズの外周部を光軸方向の一方側に押圧し、上記当接部との間で上記レンズを固定することを特徴とするレンズ組付方法。
【請求項９】
上記押圧部に、熱変形部を設け、
上記熱変形部を熱変形させることによって、上記レンズの外周面を径方向に押圧することを特徴とする請求項８記載のレンズ組付方法。
【請求項１０】
上記押圧部に、治具を挿入するための治具挿入部を設け、
上記治具挿入部から挿入された治具によって上記レンズの外周面を径方向に押圧すること特徴とする請求項８記載のレンズ組付方法。
【請求項１１】
上記押圧部に、上記保持枠の内周面から突出する突起部を設け、
上記保持枠に嵌め込まれたレンズが上記突起部を押し潰すことによって、上記レンズの外周面を径方向に押圧することを特徴とする請求項８記載のレンズ組付方法。
【請求項１２】
上記押圧部に、上記レンズの径方向に弾性変位可能な弾性変位部を設け、
上記保持枠に嵌め込まれたレンズの外周面に上記弾性変位部を当接させて弾性変位させることによって、上記レンズの外周面を径方向に押圧することを特徴とする請求項８記載のレンズ組付方法。
【請求項１３】
上記弾性変位部を上記保持枠と一体に形成することを特徴とする請求項１２記載のレンズ組付方法。
【請求項１４】
上記保持枠に、複数のレンズを互いの光軸を一致させた状態で保持させることを特徴とする請求項８記載のレンズ組付方法。
【発明の詳細な説明】
【０００１】
【発明の属する技術分野】
本発明は、レンズを保持するレンズ保持部材、並びにそのようなレンズ保持部材にレンズを組み付けるレンズ組付方法に関する。
【０００２】
【従来の技術】
従来より、１枚のレンズ又は複数のレンズからなるレンズ群（以下、単にレンズという。）を保持するレンズ保持部材がある。そして、このレンズ保持部材にレンズを組み付ける際は、レンズ保持部材の保持枠にレンズを嵌め込んだ後に、接着剤を注入して接着固定する方法、或いは保持枠の一部を熱変形させてかしめる、いわゆる熱カシメによってレンズを固定する方法が一般的に用いられている。
【０００３】
【特許文献１】
特許２９９２０９４号公報
【特許文献１】
特開平１０−１０４４８９号公報
【０００４】
【発明が解決しようとする課題】
ところで、上述したレンズ保持部材では、レンズの組付を容易とするため、保持枠の内周面とレンズの外周面との間に隙間（クリアランス）を設けている。しかしながら、このようなクリアランスは、レンズの位置決め精度を低下させ、レンズを組み付ける際の組立精度のばらつきを生じさせる。逆に、クリアランスを可能な限り小さくすると、保持枠の内径寸法とレンズの外径寸法との厳しい寸法公差が要求されることになる。
【０００５】
そこで、このようなクリアランスによるレンズの位置決め精度の悪化を防ぐ方法として、保持枠に接着剤を注入する注入孔と、この注入孔の両側にレンズを位置決めする位置決め部とを設け、注入孔から注入された接着剤の収縮力によりレンズを片寄せし、位置決め部に当接させて位置決めする方法が提案されている（例えば、特許文献１を参照）。
【０００６】
ここで、図３６に模式的に示すように、保持枠の内径を寸法公差を含めてＤ１±ｄ１とし、レンズの外径を寸法公差を含めてＤ２±ｄ２としたとき、保持枠の中心軸Ｓ１とレンズの中心軸Ｓ２との間の芯ズレ量Ｄは、レンズを片寄せしない場合には、
Ｄ＝（Ｄ１−Ｄ２）±（ｄ１＋ｄ２）
となる。
【０００７】
一方、レンズを片寄せした場合には、
Ｄ＝（Ｄ１−Ｄ２）−（ｄ１＋ｄ２）
となる。
【０００８】
したがって、レンズを片寄せした場合には、上述した芯ズレ量Ｄがレンズを片寄せしない場合の半分となると共に、保持枠の中心軸Ｓ１に対してレンズの中心軸Ｓ２がずれる方向が一義的に決まることになる。
【０００９】
しかしながら、上述した特許文献１に記載されるレンズの組付方法では、接着剤の注入量やロットによって接着剤の収縮量のばらつきが生じ易く、生産性が悪いだけでなく、接着剤のコストが嵩むといった問題が発生してしまう。
【００１０】
また、一箇所のみを接着では、振動や衝撃によるレンズの浮き上がりが生じや易く、十分な接着強度を得ることも困難である。特に、耐衝撃性を考慮すると、外部に露出するレンズを固定する方法には適さない。仮に、上述した接着剤よるレンズの片寄せを行った後に、補強として別の部位を接着剤又は補強材を用いて固定することも考えられるが、組付工数及び部品点数の増加によって、製造コストの増加や大型化を招くといった問題が発生してしまう。
【００１１】
一方、熱カシメによるレンズの組付方法としては、レンズ保持部材に複数の第１の熱変形部と複数の第２の熱変形部とを設け、複数の第１の熱変形部を熱カシメによって変形させて、レンズの外周部を径方向に略均等に押圧する一方、複数の第２の熱変形部を熱カシメによって変形させて、レンズの外周部を光軸方向に略均等に押圧し、レンズをレンズ保持部材に保持する方法が提案されている（例えば、特許文献２を参照。）。
【００１２】
しかしながら、この特許文献２に記載されるレンズの組付方法では、互いの光軸を一致させた複数のレンズを重ね合わせた状態で保持する場合に、上述した第１の熱変形部及び第２の熱変形部によって直接固定されるレンズと、残りの間接的に固定されるレンズとの間で、光軸のずれが生じやすいといった問題がある。そして、これら複数のレンズを互いの光軸を一致させた状態で保持するためには、大きな設備が必要となり、組立工数も増加し、製造コストの増加を招くといった問題が発生してしまう。
【００１３】
そこで、本発明は、このような従来の事情に鑑みて提案されたものであり、レンズを適切に保持し、特に、互いの光軸を一致させた複数のレンズを重ね合わせた状態で保持するのに好適なレンズ保持部材を提供することを目的とする。
【００１４】
また、本発明は、レンズ保持部材に対するレンズの組付を容易とし、特に、互いの光軸を一致させた複数のレンズを重ね合わせた状態でレンズ保持部材に高精度に組み付けることを可能とすると共に、更なる低コスト化を可能としたレンズ組付方法を提供することを目的とする。
【００１５】
【課題を解決するための手段】
この目的を達成するために、本発明に係るレンズ保持部材は、レンズの外周部を保持する保持枠と、保持枠の内周部に設けられ、保持枠に嵌め込まれたレンズの一面が当接される当接部と、保持枠に設けられ、レンズの外周面を径方向に押圧することで、レンズを保持枠の内周面の一方側に片寄する押圧部と、保持枠の内周面に設けられ、押圧部からの押圧により一方側に片寄せされたレンズの外周面の少なくとも２箇所と当接される位置決め部と、保持枠の端縁部に設けられ、熱変形によりかしめられることで保持枠に嵌め込まれたレンズの外周部を光軸方向の一方側に押圧し、当接部との間でレンズを固定するカシメ部とを有することを特徴としている。
【００１６】
以上のように、本発明に係るレンズ保持部材では、保持枠に嵌め込まれたレンズの外周面を押圧部から径方向に押圧することによって、レンズが保持枠の内周面の一方側に片寄せされ、当該レンズの外周面の少なくとも２箇所が位置決め部に当接された状態となる。これにより、レンズを保持枠に適切に位置決めすることができる。そして、この状態でカシメ部が熱変形によりかしめられることで、保持枠に嵌め込まれたレンズの外周部を光軸方向の一方側に押圧し、当接部との間でレンズが固定される。これにより、レンズの外周部を保持枠に適切且つ強固に保持させることができる。
【００１７】
また、本発明に係るレンズ組付方法は、レンズ保持部材に、レンズの外周部を保持する保持枠と、保持枠の内周部にレンズの一面が当接される当接部と、保持枠にレンズの外周面を径方向に押圧する押圧部と、保持枠の内周面にレンズの外周面の少なくとも２箇所と当接される位置決め部と、保持枠の端縁部に熱変形によりかしめられるカシメ部とを設け、保持枠に嵌め込まれたレンズの外周面を押圧部から径方向に押圧することによって、レンズを保持枠の内周面の一方側に片寄せし、レンズの外周面の少なくとも２箇所を位置決め部に当接させた状態から、カシメ部を熱変形させてかしめることによって、保持枠に嵌め込まれたレンズの外周部を光軸方向の一方側に押圧し、当接部との間でレンズを固定することを特徴としている。
【００１８】
以上のように、本発明に係るレンズ組付方法では、保持枠に嵌め込まれたレンズの外周面を押圧部から径方向に押圧することによって、レンズを保持枠の内周面の一方側に片寄せし、レンズの外周面の少なくとも２箇所を位置決め部に当接させた状態とする。これにより、レンズを保持枠に適切且つ容易に位置決めすることができる。そして、この状態から、カシメ部を熱変形させてかしめることによって、保持枠に嵌め込まれたレンズの外周部を光軸方向の一方側に押圧し、当接部との間でレンズを固定する。これにより、レンズの外周部を保持枠に適切且つ強固に保持させることができ、レンズをレンズ保持部材に適切且つ容易に組み付けることができる。
【００１９】
【発明の実施の形態】
以下、本発明を適用したレンズ保持部材及びレンズ組付方法について、図面を参照しながら詳細に説明する。
【００２０】
図１及び図２に示すレンズ装置は、本発明を適用したレンズ保持部材１に複数のレンズ２が互いの光軸を一致させた状態で配置されてなるものである。また、複数のレンズ２は、第１のレンズ３、第２のレンズ４及び第３のレンズ５からなり、これら複数のレンズ２が光軸方向に重ね合わされて１つのレンズ群を構成している。このうち、第１及び第２のレンズ３，４の外径は、互いに同径であり、第３のレンズ５の外径は、第１及び第２のレンズ３，４の外径よりも小径である。また、第２のレンズ４及び第３のレンズ５は、互いの光軸を一致させた状態で接合された接合レンズである。
【００２１】
レンズ保持部材１は、強度及び量産性があり且つ遮光性を有する黒色の樹脂材料、例えばガラス繊維を含有するポリカーボネート樹脂等からなる。このレンズ保持部材１は、レンズ２の外周部を保持する保持枠６を有し、この保持枠６に互いの光軸を一致させた複数のレンズ２が重ね合わされた状態で保持されている。
【００２２】
具体的に、この保持枠６には、その開口の一端側から第１のレンズ３及び第２レンズ４を嵌め込むのに十分な深さで形成された第１の凹部７と、第１の凹部７の底面中央部から第３のレンズ５を嵌め込むのに十分な深さで形成された第２の凹部８とが設けられている。
【００２３】
このうち、第１の凹部７の内径は、第１及び第２レンズ３，４の外径よりも僅かに大径である。すなわち、この保持枠６の内周面と第１及び第２のレンズ３，４の外周面との間には、所定の隙間（クリアランス）が設けられている。また、第１の凹部７の底面部には、第２の凹部８の周囲を囲むように、第２のレンズ４の一面の外周部が当接される円環状の第１の当接部７ａが形成されている。
【００２４】
一方、第２の凹部８の内径は、第３のレンズ５の外径よりも僅かに大径である。すなわち、この保持枠６の内周面と第３のレンズ５の外周面との間には、所定の隙間（クリアランス）が設けられている。また、第２の凹部８の底面部には、その中央部に第３のレンズ５を所定の径で臨ませる孔部９と、この孔部９の周囲を囲むように第３のレンズ５の外周部が当接される円環状の第２の当接部８ａとが形成されている。
【００２５】
また、保持枠６には、第１及び第２のレンズ３，４の外周面を径方向に押圧する押圧部として、熱変形によって第１及び第２のレンズ３，４の外周面を径方向に押圧する熱変形部１０が設けられている。この熱変形部１０は、保持枠６をその開口の一端から光軸方向に切り欠く一対の切欠き部１１の間に形成されている。具体的に、一対の切欠き部１１は、保持枠６の中心軸に対して互いになす中心角が略６０゜となる位置に、第１及び第２のレンズ３，４の外周面が臨む深さで切欠き形成されており、保持枠６を当該角度範囲で分断することによって、その間に上記熱変形部１０を形成している。
【００２６】
また、保持枠６の内周面には、押圧部からの押圧により一方側に片寄せされた第１及び第２のレンズ３，４の外周面と当接される一対の位置決め部１２が設けられている。これら一対の位置決め部１２は、保持枠６の熱変形部１０と対向する側、すなわち第１及び第２のレンズ３，４が片寄せされる側の内周面に、当該保持枠６の中心軸と熱変形部１０の中心部とを通る中心線Ｘ１−Ｘ１’に対してなす中心角が、それぞれ略４５゜となる位置に配置されている。また、これら一対の位置決め部１２は、保持枠６の内周面から僅かに突出し、その第１及び第２のレンズ３，４の外周面と当接される面が平坦化された、いわゆるＤカット形状を有している。なお、これら一対の位置決め部１２のエッジ部分には、第１及び第２のレンズ３，４の第１の凹部７に対する嵌め込みを容易するための面取りが施されている。
【００２７】
また、保持枠６には、熱変形によりかしめられるカシメ部１３が設けられている。このカシメ部１３は、上述した一対の切欠き部１１によって分断された保持枠６の熱変形部１０を除いた端縁部である。
【００２８】
以上のように構成される光学装置において、レンズ保持部材１に複数のレンズ２を組み付ける際は、先ず、図３に示すように、レンズ保持部材１の保持枠６に複数のレンズ２を嵌め込む。すなわち、保持枠６の第２の凹部８及び第１の凹部７に、接合一体化された第３のレンズ４及び第２のレンズ５を嵌め込んだ後に、保持枠６の第１の凹部７に第１のレンズ３を嵌め込む。このとき、保持枠６の内周面と複数のレンズ２の外周面との間には、クリアランスが設けられていることから、これら複数のレンズ２を保持枠６に容易に嵌め込むことができる。
【００２９】
次に、図４に示すように、第１の加熱治具１４を用いて、保持枠６の熱変形部１０を熱変形させる。この第１の加熱治具１４は、保持枠６に嵌め込まれたレンズ２の光軸方向に移動し、熱変形部１０の外周部と摺接しながら、この熱変形部１０を加熱すると共に押圧して変形させる。
【００３０】
したがって、熱変形部１０は、第１の加熱治具１４により縮径する方向に熱変形しながら、保持枠６の第１の凹部７に嵌め込まれた第１及び第２のレンズ３，４の外周面を径方向の一方側に押圧する。これにより、第１及び第２のレンズ３，４は、保持枠６の内周面の一方側に片寄せされ、これら第１及び第２のレンズ３，４の外周面が一対の位置決め部１２に当接された状態となる。すなわち、これら複数のレンズ２は、第１のレンズ及び第３のレンズ５が接合された第２のレンズ４の外周面が一対の位置決め部１２に当接されることによって、互いの光軸を一致させた状態で高精度に位置決めされる。
【００３１】
次に、図５に示すように、この状態から、第２の加熱治具１５を用いて、カシメ部１３を熱変形させてかしめる。この第２の加熱治具１５は、保持枠６に嵌め込まれたレンズ２の光軸方向に移動し、カシメ部１３の外周部と摺接しながら、このカシメ部１３を加熱すると共に押圧して変形させる。
【００３２】
したがって、カシメ部１３は、第２の加熱治具１５により縮径する方向に熱変形されてかしめられると共に、保持枠６の第１の凹部７に嵌め込まれた第１のレンズ３の外周部を光軸方向の一方側、すなわち第１の凹部７の底面部側に押圧する。一方、第２のレンズ４は、第１の当接部７ａと当接された状態となっている。これにより、第１及び第２のレンズ３，４は、カシメ部１３と第１の当接部７ａとの間で固定され、保持枠６の第１の凹部７に保持される。また、第２のレンズ２に接合された第３のレンズ５は、第２の当接部８ａに当接された状態で固定され、保持枠６の第２の凹部８に保持される。すなわち、これら複数のレンズ２は、図１及び図２に示すように、その外周部が保持枠６に適切且つ強固に保持される。
【００３３】
以上のようにして、複数のレンズ２を互いの光軸を高精度に一致させた状態でレンズ保持部材１に適切且つ容易に組み付けることが可能である。
【００３４】
上述したように、本発明を適用したレンズ保持部材１では、熱変形部１０が熱変形により保持枠６に嵌め込まれた第１及び第２のレンズ３，４の外周面を径方向に押圧することによって、第１及び第２のレンズ３，４を保持枠６の内周面の一方側に片寄せし、これら第１及び第２のレンズ３，４の外周面を一対の位置決め部１２に当接させた状態とすることから、複数のレンズ２を互いの光軸を一致させた状態で保持枠６に高精度に位置決めすることが可能である。そして、この状態で、カシメ部１３が熱変形によりかしめられることによって、保持枠６に嵌め込まれた第１のレンズ３の外周部を光軸方向の一方側に押圧し、当接部７ａ，８ａとの間で複数のレンズ２を固定することから、これら複数のレンズ２の外周部を保持枠６に適切且つ強固に保持させることが可能である。
【００３５】
また、本発明では、上記レンズ保持部材１の変形例として、上述した熱変形部１０の代わりに、例えば図６に示すような熱変形部１６が設けられた構成とすることも可能である。
【００３６】
この熱変形部１６は、保持枠６の開口の一端から光軸方向に所定の幅及び第１のレンズ３の前面に至る深さで切り欠かれた切欠き部１６ａを有している。一方、カシメ部１３は、この切欠き部１６ａが形成された保持枠６の端縁部である。
【００３７】
そして、このような熱変形部１６が設けられたレンズ保持部材１に複数のレンズ２を組み付ける際は、保持枠６に複数のレンズ２が嵌め込まれた後に、図７に示すような第１の加熱治具１７を用いて、熱変形部１６を熱変形させる。この第１の加熱治具１７は、保持枠６に嵌め込まれたレンズ２の光軸方向に移動し、切欠き部１６ａから熱変形部１６の外周部と摺接しながら、この熱変形部１６を加熱すると共に押圧して変形させる。
【００３８】
したがって、熱変形部１６は、図８に示すように、第１の加熱治具１７により熱変形されることで、切欠き部１６ａから光軸方向に沿った溝部１６ｂを形成しながら、保持枠６の第１の凹部７に嵌め込まれた第１及び第２のレンズ３，４の外周面を径方向の一方側に押圧する。これにより、第１及び第２のレンズ３，４は、保持枠６の内周面の一方側に片寄せされ、これら第１及び第２のレンズ３，４の外周面が一対の位置決め部１２に当接された状態となる。すなわち、これら複数のレンズ２は、第１のレンズ及び第３のレンズ５が接合された第２のレンズ４の外周面が一対の位置決め部１２に当接されることによって、互いの光軸を一致させた状態で高精度に位置決めされる。
【００３９】
次に、図９に示すような略円筒状の第２の加熱治具１８を用いて、カシメ部１３を熱変形させてかしめる。この第２の加熱治具１８は、図１０に示すように、保持枠６に嵌め込まれたレンズ２の光軸方向に移動し、その内周部がカシメ部１３の外周部と摺接しながら、このカシメ部１３を加熱すると共に押圧して変形させる。
【００４０】
したがって、カシメ部１３は、図１１に示すように、第２の加熱治具１８により縮径する方向に熱変形されてかしめられると共に、保持枠６の第１の凹部７に嵌め込まれた第１のレンズ３の外周部を光軸方向の一方側、すなわち第１の凹部７の底面部側に押圧する。これにより、第１及び第２のレンズ３，４は、カシメ部１３と第１の当接部７ａとの間で固定され、第２のレンズ２に接合された第３のレンズ５が第２の当接部８ａに当接させた状態で固定される。すなわち、これら複数のレンズ２は、その外周部が保持枠６に適切且つ強固に保持される。
【００４１】
以上のようにして、複数のレンズ２を互いの光軸を高精度に一致させた状態でレンズ保持部材１に適切且つ容易に組み付けることが可能である。
【００４２】
また、上記レンズ保持部材１では、例えば図１２に示すように、１枚のレンズ２０が保持枠６に保持される構成であってもよい。
【００４３】
この場合も、図１３に示すように、上述した第１の加熱治具１４を用いて熱変形部１０を熱変形し、保持枠６に嵌め込まれたレンズ２０の外周面を径方向に押圧することによって、レンズ２０が保持枠６の内周面の一方側に片寄せされ、レンズ２０の外周面が一対の位置決め部１２に当接された状態となる。これにより、レンズ２０を保持枠６に高精度に位置決めすることが可能である。そして、この状態から、図１２に示すように、上述した第２の加熱治具１５を用いてカシメ部１３を熱変形させてかしめることによって、保持枠６に嵌め込まれたレンズ２０の外周部を光軸方向の一方側に押圧する。これにより、レンズ２０の外周部を保持枠６に適切且つ強固に保持させることが可能である。
【００４４】
次に、図１４及び図１５に示す別のレンズ装置について説明する。
【００４５】
このレンズ装置は、本発明を適用したレンズ保持部材３１にレンズ３２が配置されてなるものである。
【００４６】
レンズ保持部材３１は、強度及び量産性があり且つ遮光性を有する黒色の樹脂材料、例えばガラス繊維を含有するポリカーボネート樹脂等からなる。このレンズ保持部材３１は、レンズ３２の外周部を保持する保持枠３３を有し、この保持枠３３にレンズ３２が保持されている。
【００４７】
具体的に、この保持枠３３には、その開口の一端側からレンズ３２を嵌め込むのに十分な深さで形成された凹部３４が設けられている。この凹部３４の内径は、レンズ３２の外径よりも僅かに大径である。すなわち、この保持枠３３の内周面とレンズ３２の外周面との間には、所定の隙間（クリアランス）が設けられている。また、凹部３４の底面部には、その中央部にレンズ３２を所定の径で臨ませる孔部３５と、この孔部３５の周囲を囲むようにレンズ３２の一面の外周部が当接される円環状の当接部３４ａとが形成されている。
【００４８】
また、保持枠３３には、後述するレンズ３２の外周面を径方向に押圧する押圧治具３９を挿入するための治具挿入溝３６が形成されている。この治具挿入溝３６は、保持枠３３の開口の一端から光軸方向に所定の幅及びレンズ３２の外周面が臨む深さで切欠き形成されている。
【００４９】
また、保持枠３３の内周面には、後述する押圧治具３９の押圧によって一方側に片寄せされたレンズ３２の外周面と当接される一対の位置決め部３７が設けられている。これら一対の位置決め部３７は、保持枠３３の治具挿入溝３６と対向する側、すなわちレンズ３２が片寄せされる側の内周面に、当該保持枠３３の中心軸と治具挿入溝３６の中心部とを通る中心線Ｘ２−Ｘ２’に対してなす中心角が、それぞれ略４５゜となる位置に配置されている。また、これら一対の位置決め部３７は、保持枠３３の内周面から僅かに突出し、そのレンズ３２の外周面と当接される面が平坦化された、いわゆるＤカット形状を有している。なお、これら一対の位置決め部３７のエッジ部分には、レンズ３２の凹部３４に対する嵌め込みを容易するための面取りが施されている。
【００５０】
また、保持枠３３には、熱変形によりかしめられるカシメ部３８が設けられている。このカシメ部３８は、上述した治具挿入溝３６を除いた保持枠３３の端縁部である。
【００５１】
以上のように構成されるレンズ装置において、レンズ保持部材３１にレンズ３２を組み付ける際は、先ず、図１６に示すように、保持枠３３の凹部３４にレンズ３２を嵌め込む。このとき、保持枠３３の内周面とレンズ３２の外周面との間には、クリアランスが設けられていることから、このレンズ３２を保持枠３３に容易に嵌め込むことができる。
【００５２】
次に、図１７及び図１８に示すように、治具挿入溝３６から押圧治具３９を挿入し、レンズ３２の外周面を径方向の一方側に押圧する。これにより、レンズ３２は、保持枠３３の内周面の一方側に片寄せされ、このレンズ３２の外周面が一対の位置決め部３７に当接された状態となる。すなわち、このレンズ３２の外周面が一対の位置決め部３７に当接されることによって、レンズ３２が保持枠３３に対して高精度に位置決めされた状態となる。
【００５３】
そして、この状態のまま、図１４及び図１５に示すように、加熱治具（図示せず。）を用いて、カシメ部３８を熱変形させてかしめる。この加熱治具は、保持枠３３に嵌め込まれたレンズ３２の光軸方向に移動し、カシメ部３８の外周部と摺接しながら、このカシメ部３８を加熱すると共に押圧して変形させる。
【００５４】
したがって、カシメ部３８は、加熱治具により縮径する方向に熱変形されてかしめられると共に、保持枠３３の凹部３４に嵌め込まれたレンズ３２の外周部を光軸方向の一方側、すなわち凹部３４の底面部側に押圧する。また、レンズ３２４は、当接部３４ａと当接されている。これにより、レンズ３２は、カシメ部３８と当接部３４ａとの間で固定され、保持枠３３の凹部３４に保持される。すなわち、このレンズ３２は、その外周部が保持枠３３に適切且つ強固に保持される。
【００５５】
以上のようにして、レンズ３２をレンズ保持部材１に適切且つ容易に組み付けることが可能である。
【００５６】
上述したように、本発明を適用したレンズ保持部材３１では、治具挿入溝３６から挿入された押圧治具３９がレンズ３２の外周面を径方向に押圧することによって、レンズ３２を保持枠３３の内周面の一方側に片寄せし、このレンズ３２の外周面を一対の位置決め部３７に当接させた状態とすることから、レンズ３２を保持枠３３に高精度に位置決めすることが可能である。そして、この状態でカシメ部３８が熱変形によりかしめられることによって、保持枠３３に嵌め込まれたレンズ３２の外周部を光軸方向の一方側に押圧し、当接部３４ａとの間でレンズ３２を固定することから、このレンズ３２の外周部を保持枠３３に適切且つ強固に保持させることが可能である。
【００５７】
また、本発明では、上記レンズ保持部材３１の変形例として、例えば図１９に示すように、複数のレンズ４０，４１が互いの光軸を一致させた状態で保持枠３３ａ，３３ｂに保持された構成とすることも可能である。
【００５８】
なお、保持枠３３ａ，３３ｂは、互いの中心軸を一致させた状態でレンズ保持部材３０の光軸方向の両側に設けられている以外は、上述した保持枠３３と略々同様の構成を有している。したがって、このレンズ保持部材３１の変形例では、上記レンズ保持部材３１と同等な部位について説明を省略すると共に、図面において同じ符号を付すものとする。
【００５９】
このレンズ保持部材３１の変形例では、図２０に示すように、治具挿入溝３６から挿入された押圧治具３９がレンズ４０，４１の外周面を径方向に押圧することによって、レンズ４０，４１を保持枠３３ａ，３３ｂの内周面の一方側に片寄せし、これらレンズ４０，４１の外周面を一対の位置決め部３７に当接させた状態とすることから、レンズ４０，４１を互いの光軸を一致させた状態で保持枠３３ａ，３３ｂに高精度に位置決めすることが可能である。そして、この状態から、図１９に示すように、カシメ部３８が熱変形によりかしめられることによって、保持枠３３ａ，３３ｂに嵌め込まれたレンズ４０，４１の外周部を光軸方向の一方側に押圧し、当接部３４ａとの間でレンズ４０，４１を固定することから、これらレンズ４０，４１の外周部を保持枠３３ａ，３３ｂに適切且つ強固に保持させることが可能である。
【００６０】
なお、上記レンズ保持部材３１では、上述した押圧治具３９が挿入される治具挿入部として、保持枠６を貫通する治具挿入孔が形成された構成であってもよい。
【００６１】
次に、図２１及び図２２に示す別のレンズ装置について説明する。
【００６２】
このレンズ装置は、本発明を適用したレンズ保持部材５１にレンズ５２が配置されてなるものである。
【００６３】
レンズ保持部材５１は、図２３に示すように、強度及び量産性があり且つ遮光性を有する黒色の樹脂材料、例えばガラス繊維を含有するポリカーボネート樹脂等からなる。このレンズ保持部材５１は、レンズ５２の外周部を保持する保持枠５３を有し、この保持枠５３にレンズ５２が保持されている。
【００６４】
具体的に、この保持枠５３には、その開口の一端側からレンズ５２を嵌め込むのに十分な深さで形成された凹部５４が設けられている。この凹部５４の内径は、レンズ５２の外径よりも僅かに大径である。すなわち、この保持枠５３の内周面とレンズ５２の外周面との間には、所定の隙間（クリアランス）が設けられている。また、凹部５４の底面部には、その中央部にレンズ５２を所定の径で臨ませる孔部５５と、この孔部５５の周囲を囲むようにレンズ５２の一面の外周部が当接される円環状の当接部５４ａとが形成されている。
【００６５】
また、保持枠５３には、レンズ５２の外周面を径方向に押圧する押圧部として、その内周面から突起部５６が突出形成されている。この突起部５６は、保持枠５３に（軽）圧入されたレンズ５２に押し潰されることによって押圧力を発生させ、レンズ５２の外周面を径方向の一方側に押圧することになる。なお、突起部５６は、レンズ５２のコバ厚（高さ）と同等かそれ以下とされている。また、突起部５６は、後述する一対の位置決め部５７よりも潰れ易い形状としておくことで、圧入時の一対の位置決め部５７の変形を防ぐことができる。また、突起部５６のエッジ部分には、レンズ５２の凹部５４に対する嵌め込みを容易するための面取りが施されている。
【００６６】
また、保持枠５３の内周面には、押圧部からの押圧により一方側に片寄せされたレンズ５２の外周面と当接される一対の位置決め部５７が設けられている。これら一対の位置決め部５７は、保持枠５３の突起部５６と対向する側、すなわちレンズ５２が片寄せされる側の内周面に、当該保持枠５３の中心軸と突起部５６の中心部とを通る中心線Ｘ３−Ｘ３’に対してなす中心角が、それぞれ略４５゜となる位置に配置されている。また、これら一対の位置決め部５７は、保持枠５３の内周面から僅かに突出し、そのレンズ５２の外周面と当接される面が平坦化された、いわゆるＤカット形状を有している。なお、これら一対の位置決め部５７のエッジ部分には、レンズ５２の凹部５４に対する嵌め込みを容易するための面取りが施されている。
【００６７】
また、保持枠５３の端縁部には、熱変形によりかしめられるカシメ部５８が設けられている。
【００６８】
以上のように構成されるレンズ装置において、レンズ保持部材５１にレンズ５２を組み付ける際は、先ず、図２４及び図２５に示すように、保持枠５３の凹部５４にレンズ５２を（軽）圧入する。このとき、保持枠５３に圧入されたレンズ５２に突起部５６が押し潰されることによって押圧力が発生し、レンズ５２の外周面を径方向の一方側に押圧する。これにより、レンズ５２は、保持枠５３の内周面の一方側に片寄せされ、このレンズ５２の外周面が一対の位置決め部５７に当接された状態となる。すなわち、このレンズ５２の外周面が一対の位置決め部５７に当接されることによって、レンズ５２が保持枠５３に対して高精度に位置決めされた状態となる。
【００６９】
次に、この状態から、図２１及び図２２に示すように、加熱治具（図示せず。）を用いて、カシメ部５８を熱変形させてかしめる。この加熱治具は、保持枠５３に嵌め込まれたレンズ５２の光軸方向に移動し、カシメ部５８の外周部と摺接しながら、このカシメ部５８を加熱すると共に押圧して変形させる。
【００７０】
したがって、カシメ部５８は、加熱治具により縮径する方向に熱変形されてかしめられると共に、保持枠５３の凹部５４に嵌め込まれたレンズ５２の外周部を光軸方向の一方側、すなわち凹部５４の底面部側に押圧する。また、レンズ５２は、当接部５４ａと当接されている。これにより、レンズ５２は、カシメ部５８と当接部５４ａとの間で固定され、保持枠５３の凹部５４に保持される。すなわち、このレンズ５２は、その外周部が保持枠５３に適切且つ強固に保持される。
【００７１】
以上のようにして、レンズ５２をレンズ保持部材５１に適切且つ容易に組み付けることが可能である。
【００７２】
上述したように、本発明を適用したレンズ保持部材５１では、保持枠５３に圧入されたレンズ５２により押し潰された突起部５６が、レンズ５２の外周面を径方向の一方側に押圧することによって、レンズ５２を保持枠５３の内周面の一方側に片寄せし、このレンズ５２の外周面を一対の位置決め部５７に当接させた状態とすることから、レンズ５２を保持枠５３に高精度に位置決めすることが可能である。そして、この状態でカシメ部５８が熱変形によりかしめられることによって、保持枠５３に嵌め込まれたレンズ５２の外周部を光軸方向の一方側に押圧し、当接部５４ａとの間でレンズ５２を固定することから、このレンズ５２の外周部を保持枠５３に適切且つ強固に保持させることが可能である。
【００７３】
また、本発明では、上記レンズ保持部材５１の変形例として、例えば図２６に示すように、複数のレンズ５９，６０が互いの光軸を一致させた状態で保持枠５３ａ，５３ｂに保持された構成とすることも可能である。
【００７４】
なお、保持枠５３ａ，５３ｂは、互いの中心軸を一致させた状態でレンズ保持部材５１の光軸方向の両側に設けられている以外は、上述した保持枠５３と略々同様の構成を有している。したがって、このレンズ保持部材５１の変形例では、上記レンズ保持部材５１と同等な部位について説明を省略すると共に、図面において同じ符号を付すものとする。
【００７５】
このレンズ保持部材５１の変形例では、保持枠５３ａ，５３ｂに圧入されたレンズ５９，６０に突起部５６が押し潰されることによって押圧力が発生し、レンズ５９，６０の外周面を径方向の一方側に押圧することによって、レンズ５９，６０を保持枠５３ａ，５３ｂの内周面の一方側に片寄せし、これらレンズ５９，６０の外周面を一対の位置決め部５７に当接させた状態とすることから、レンズ５９，６０を互いの光軸を一致させた状態で保持枠５３ａ，５３ｂに高精度に位置決めすることが可能である。そして、この状態でカシメ部５８が熱変形によりかしめられることによって、保持枠５３ａ，５３ｂに嵌め込まれたレンズ５９，６０の外周部を光軸方向の一方側に押圧し、当接部５４ａとの間でレンズ５９，６０を固定することから、これらレンズ５９，６０の外周部を保持枠５３ａ，５３ｂに適切且つ強固に保持させることが可能である。
【００７６】
また、本発明では、上記レンズ保持部材５１の変形例として、例えば図２７に示すように、互いの光軸を一致させた複数のレンズ６１，６２，６３が重ね合わされた状態で保持枠６に保持された構成とすることも可能である。
【００７７】
なお、これら複数のレンズ６１，６２，６３のうち、レンズ６１，６２の外径は、互いに同径であり、レンズ６３の外径は、レンズ６１，６２の外径よりも小径である。また、レンズ６２，６３は、互いの光軸を一致させた状態で接合された接合レンズである。また、突起部５６は、保持枠５３の凹部５４に最後に嵌め込まれるレンズ６１のコバ厚（高さ）と同等かそれ以下とされている。
【００７８】
この場合も、保持枠５３に圧入されたレンズ６１，６２により押し潰された突起部５６が、レンズ６１，６２の外周面を径方向の一方側に押圧することによって、レンズ６１，６２を保持枠５３の内周面の一方側に片寄せし、これらレンズ６１，６２の外周面を一対の位置決め部５７に当接させた状態とすることから、複数のレンズ６１，６２，６３を互いの光軸を一致させた状態で保持枠５３に高精度に位置決めすることが可能である。そして、この状態でカシメ部５８が熱変形によりかしめられることによって、保持枠５３に嵌め込まれたレンズ６１の外周部を光軸方向の一方側に押圧し、当接部５４ａとの間でレンズ６１，６２を固定することから、これらレンズ６１，６２の外周部を保持枠５３に適切且つ強固に保持させることが可能である。
【００７９】
また、本発明では、上記レンズ保持部材５１の変形例として、図２８に示すように、上述した押圧部に突起部５６を複数設けた構成とすることも可能である。
【００８０】
次に、図２９及び図３０に示す別のレンズ装置について説明する。
【００８１】
このレンズ装置は、本発明を適用したレンズ保持部材７１にレンズ７２が配置されてなるものである。
【００８２】
レンズ保持部材７１は、図３１に示すように、強度及び量産性があり且つ遮光性を有する黒色の樹脂材料、例えばガラス繊維を含有するポリカーボネート樹脂等からなる。このレンズ保持部材７１は、レンズ７２の外周部を保持する保持枠７３を有し、この保持枠７３にレンズ７２が保持されている。
【００８３】
具体的に、この保持枠７３には、その開口の一端側からレンズ７２を嵌め込むのに十分な深さで形成された凹部７４が設けられている。この凹部７４の内径は、レンズ７２の外径よりも僅かに大径である。すなわち、この保持枠７３の内周面とレンズ７２の外周面との間には、所定の隙間（クリアランス）が設けられている。また、凹部７４の底面部には、その中央部にレンズ７２を所定の径で臨ませる孔部７５と、この孔部７５の周囲を囲むようにレンズ７２の一面の外周部が当接される円環状の当接部７４ａとが形成されている。
【００８４】
また、保持枠７３には、レンズ７２の外周面を径方向に押圧する押圧部として、レンズ７２の径方向に弾性変位可能な弾性変位部７６が設けられている。この弾性変位部７６は、保持枠７３と一体に形成されており、その背面側に孔部７６ａが形成されることによって、両端部が保持枠７３に支持された板バネ形状を有している。なお、弾性変位部７６は、レンズ７２のコバ厚（高さ）と同等かそれ以下とされている。また、弾性変位部７６のエッジ部分には、レンズ７２の凹部７４に対する嵌め込みを容易するための面取りが施されている。
【００８５】
また、保持枠７３の内周面には、押圧部からの押圧により一方側に片寄せされたレンズ７２の外周面と当接される一対の位置決め部７７が設けられている。これら一対の位置決め部７７は、保持枠７３の弾性変位部７６と対向する側、すなわちレンズ７２が片寄せされる側の内周面に、当該保持枠７３の中心軸と弾性変位部７６の中心部とを通る中心線Ｘ４−Ｘ４’に対してなす中心角が、それぞれ略４５゜となる位置に配置されている。また、これら一対の位置決め部７７は、保持枠７３の内周面から僅かに突出し、そのレンズ７２の外周面と当接される面が平坦化された、いわゆるＤカット形状を有している。なお、これら一対の位置決め部７７のエッジ部分には、レンズ７２の凹部７４に対する嵌め込みを容易するための面取りが施されている。
【００８６】
また、保持枠７３には、熱変形によりかしめられるカシメ部７８が設けられている。このカシメ部７８は、上述した弾性変位部７６を除いた保持枠７３の端縁部である。
【００８７】
以上のように構成されるレンズ装置において、レンズ保持部材７１にレンズ７２を組み付ける際は、先ず、図３２及び図３３に示すように、保持枠７３の凹部７４にレンズ７２を嵌め込む。このとき、保持枠７３に嵌め込まれたレンズ７２の外周面に弾性変位部７６が当接されて弾性変位することによって押圧力が発生し、レンズ７２の外周面を径方向の一方側に押圧する。これにより、レンズ７２は、保持枠７３の内周面の一方側に片寄せされ、このレンズ７２の外周面が一対の位置決め部７７に当接された状態となる。すなわち、このレンズ７２の外周面が一対の位置決め部７７に当接されることによって、レンズ７２が保持枠７３に対して高精度に位置決めされた状態となる。
【００８８】
次に、この状態から、図２９及び図３０に示すように、加熱治具（図示せず。）を用いて、カシメ部７８を熱変形させてかしめる。この加熱治具は、保持枠７３に嵌め込まれたレンズ７２の光軸方向に移動し、カシメ部７８の外周部と摺接しながら、このカシメ部７８を加熱すると共に押圧して変形させる。
【００８９】
したがって、カシメ部７８は、加熱治具により縮径する方向に熱変形されてかしめられると共に、保持枠７３の凹部７４に嵌め込まれたレンズ７２の外周部を光軸方向の一方側、すなわち凹部７４の底面部側に押圧する。また、レンズ７２は、当接部７４ａと当接されている。これにより、レンズ７２は、カシメ部７８と当接部７４ａとの間で固定され、保持枠７３の凹部７４に保持される。すなわち、このレンズ７２は、その外周部が保持枠７３に適切且つ強固に保持される。
【００９０】
以上のようにして、レンズ７２をレンズ保持部材７１に適切且つ容易に組み付けることが可能である。
【００９１】
上述したように、本発明を適用したレンズ保持部材７１では、保持枠７３に嵌め込まれたレンズ７２の外周面に当接された弾性変位部７６がレンズ７２の外周面を径方向に押圧することによって、レンズ７２を保持枠７３の内周面の一方側に片寄せし、このレンズ７２の外周面を一対の位置決め部７７に当接させた状態とすることから、レンズ７２を保持枠７３に高精度に位置決めすることが可能である。そして、この状態でカシメ部７８が熱変形によりかしめられることによって、保持枠７３に嵌め込まれたレンズ７２の外周部を光軸方向の一方側に押圧し、当接部７４ａとの間でレンズ７２を固定することから、このレンズ７２の外周部を保持枠７３に適切且つ強固に保持させることが可能である。
【００９２】
また、本発明では、上記レンズ保持部材７１の変形例として、例えば図３４に示すように、複数のレンズ７９，８０が互いの光軸を一致させた状態で保持枠７３ａ，７３ｂに保持された構成とすることも可能である。
【００９３】
なお、保持枠７３ａ，７３ｂは、互いの中心軸を一致させた状態でレンズ保持部材７１の光軸方向の両側に設けられている以外は、上述した保持枠７３と略々同様の構成を有している。したがって、このレンズ保持部材７１の変形例では、上記レンズ保持部材７１と同等な部位について説明を省略すると共に、図面において同じ符号を付すものとする。
【００９４】
このレンズ保持部材７１の変形例では、保持枠７３ａ，７３ｂに嵌め込まれたレンズ７９，８０の外周面に当接された弾性変位部７６がレンズ７９，８０の外周面を径方向に押圧することによって、レンズ７９，８０を保持枠７３ａ，７３ｂの内周面の一方側に片寄せし、これらレンズ７９，８０の外周面を一対の位置決め部７７に当接させた状態とすることから、レンズ７９，８０を互いの光軸を一致させた状態で保持枠７３ａ，７３ｂに高精度に位置決めすることが可能である。そして、この状態でカシメ部７８が熱変形によりかしめられることによって、保持枠７３ａ，７３ｂに嵌め込まれたレンズ７９，８０の外周部を光軸方向の一方側に押圧し、当接部７４ａとの間でレンズ７９，８０を固定することから、これらレンズ７９，８０の外周部を保持枠７３ａ，７３ｂに適切且つ強固に保持させることが可能である。
【００９５】
また、本発明では、上記レンズ保持部材７１の変形例として、例えば図３５に示すように、互いの光軸を一致させた複数のレンズ８１，８２，８３が重ね合わされた状態で保持枠７３に保持された構成とすることも可能である。
【００９６】
なお、これら複数のレンズ８１，８２，８３のうち、レンズ８０，８１の外径は、互いに同径であり、レンズ８２の外径は、レンズ８０，８１の外径よりも小径である。また、レンズ８１，８２は、互いの光軸を一致させた状態で接合された接合レンズである。また、弾性変位部７６は、保持枠７３の凹部７４に最後に嵌め込まれるレンズ８１のコバ厚（高さ）と同等かそれ以下とされている。
【００９７】
この場合も、保持枠７３に嵌め込まれたレンズ８１，８２の外周面に当接された弾性変位部７６がレンズ７９，８０の外周面を径方向に押圧することによって、レンズ８１，８２を保持枠７３の内周面の一方側に片寄せし、これらレンズ８１，８２の外周面を一対の位置決め部７７に当接させた状態とすることから、複数のレンズ８１，８２，８３を互いの光軸を一致させた状態で保持枠７３に高精度に位置決めすることが可能である。そして、この状態でカシメ部７８が熱変形によりかしめられることによって、保持枠７３に嵌め込まれたレンズ８１の外周部を光軸方向の一方側に押圧し、当接部７４ａとの間でレンズ８１，８２を固定することから、これらレンズ８１，８２の外周部を保持枠７３に適切且つ強固に保持させることが可能である。
【００９８】
なお、上記レンズ保持部材７１では、上述した弾性変位部７６として、径方向に弾性変位可能な板バネ等の弾性部材を保持枠７３の押圧部に取り付けた構成とすることも可能である。
【００９９】
なお、本発明では、レンズを保持枠の一方側に片寄せした状態から、接着剤を用いてレンズを保持枠に接着固定することも考えられる。しかしながら、この場合、接着剤をレンズと保持枠との間に注入した後に、接着剤を硬化させるための時間を要することから、生産性及び製造コストを考慮すると、上述したカシメによる固定方法が望ましい。
【０１００】
【発明の効果】
以上詳細に説明したように、本発明によれば、保持枠の内径寸法とレンズの外径寸法との寸法公差を厳しく管理することなく、保持枠の内周面とレンズの外周面との間にクリアランスを設けることが可能であり、このようなクリアランスを設けた場合でも、位置決め部の寸法を管理するだけで、レンズの保持枠に対する位置決め精度を良好なものとし、レンズ保持部材に組み付けられるレンズの光軸のずれや傾きの発生を防ぐことが可能である。
【０１０１】
特に、本発明によれば、複数のレンズを重ね合わせた状態で保持枠に保持させる場合でも、互いの光軸を一致させた状態で複数のレンズをレンズ保持部材に適切且つ容易に組み付けることが可能である。
【０１０２】
また、本発明によれば、位置決め部の寸法を管理するだけでよく、従来のように保持枠の内径寸法とレンズの外径寸法との寸法公差を厳しく管理する必要がないことから、設計を簡素化すると共に、更なる低コスト化が可能である。
【０１０３】
また、本発明によれば、接着剤を注入して接着固定する方法に比べて、組立工数を簡素化することが可能であり、補強として別の部位を接着剤又は補強材を用いて固定する必要もないことから、部品点数の増加を防ぐと共に、レンズ保持部材の更なる小型化及び低コスト化が可能である。
【図面の簡単な説明】
【図１】本発明を適用したレンズ装置の構成を示す平面図である。
【図２】図１中に示すＸ１−Ｘ１’断面図である。
【図３】図１中に示すレンズ保持部材に複数のレンズが嵌め込まれた状態を示す断面図である。
【図４】図１中に示すレンズ保持部材の熱変形部が第１の加熱治具により熱変形された状態を示す断面図である。
【図５】図１中に示すレンズ保持部材のカシメ部が第２の加熱治具により熱変形されてかしめられた状態を示す断面図である。
【図６】図１中に示すレンズ保持部材の変形例を示す斜視図である。
【図７】図６中に示すレンズ保持部材の熱変形部が第１の加熱治具により熱変形される動作を示す斜視図である。
【図８】図６中に示すレンズ保持部材の熱変形部が第１の加熱治具により熱変形された状態を示す斜視図である。
【図９】図６中に示すレンズ保持部材のカシメ部が第２の加熱治具により熱変形される前の状態を示す斜視図である。
【図１０】図６中に示す上記レンズ保持部材のカシメ部が第２の加熱治具により熱変形される動作を示す斜視図である。
【図１１】図６中に示すレンズ保持部材のカシメ部が熱変形によりかしめられた状態を示す斜視図である。
【図１２】図１中に示すレンズ保持部材の変形例として、１枚のレンズが保持枠に保持された構成を示す断面図である。
【図１３】図１２中に示すレンズ保持部材の１枚のレンズが保持枠に保持される前の状態を示す断面図である。
【図１４】本発明を適用した別のレンズ装置の構成を示す平面図である。
【図１５】図１４中に示すＸ２−Ｘ２’断面図である。
【図１６】図１４中に示すレンズ保持部材にレンズが嵌め込まれた状態を示す断面図である。
【図１７】図１４中に示すレンズ保持部材の治具挿入溝から押圧治具が挿入された状態を示す平面図である。
【図１８】図１４中に示すレンズ保持部材の治具挿入溝から押圧治具が挿入された状態を示す断面図である。
【図１９】図１４中に示すレンズ保持部材の変形例として、複数のレンズが互いの光軸を一致させた状態で保持枠に保持された構成を示す断面図である。
【図２０】図１４中に示すレンズ保持部材の変形例として、互いの光軸を一致させた複数のレンズが重ね合われた状態で保持枠に保持された構成を示す断面図である。
【図２１】本発明を適用した別のレンズ装置の構成を示す平面図である。
【図２２】図２１中に示すＸ３−Ｘ３’断面図である。
【図２３】図２１中に示すレンズ保持部材の構成を示す斜視図である。
【図２４】図２１中に示すレンズ保持部材にレンズが嵌め込まれた状態を示す平面図である。
【図２５】図２１中に示すレンズ保持部材にレンズが嵌め込まれた状態を示す断面図である。
【図２６】図２１中に示すレンズ保持部材の変形例として、複数のレンズが互いの光軸を一致させた状態で保持枠に保持された構成を示す断面図である。
【図２７】図２１中に示すレンズ保持部材の変形例として、互いの光軸を一致させた複数のレンズが重ね合われた状態で保持枠に保持された構成を示す断面図である。
【図２８】図２１中に示すレンズ保持部材の変形例として、押圧部に突起部を複数設けた構成を示す平面図である。
【図２９】本発明を適用した別のレンズ装置の構成を示す平面図である。
【図３０】図２９中に示すＸ４−Ｘ４’断面図である。
【図３１】図２９中に示すレンズ保持部材の構成を示す斜視図である。
【図３２】図２９中に示すレンズ保持部材にレンズが嵌め込まれた状態を示す平面図である。
【図３３】図２９中に示すレンズ保持部材にレンズが嵌め込まれた状態を示す断面図である。
【図３４】図２９中に示すレンズ保持部材の変形例として、複数のレンズが互いの光軸を一致させた状態で保持枠に保持された構成を示す断面図である。
【図３５】図２９中に示すレンズ保持部材の変形例として、互いの光軸を一致させた複数のレンズが重ね合われた状態で保持枠に保持された構成を示す断面図である。
【図３６】保持枠の中心軸Ｓ１とレンズの中心軸Ｓ２との間の芯ズレ量Ｄの関係を示す模式図である。
【符号の説明】
１  レンズ保持部材、２  レンズ、６  保持枠、７  第１の凹部、７ａ  第１の当接部、８  第２の凹部、８ａ  第２の当接部、１０  熱変形部、１２  位置決め部、１３  カシメ部、１４  第１の加熱治具、１５  第２の加熱治具、１６熱変形部、１７  第１の加熱治具、１８  第２の加熱治具、３１  レンズ保持部材、３２  レンズ、３３  保持枠、３４  凹部、３４ａ  当接部、３６  治具挿入部、３７  位置決め部、３８  カシメ部、３９  押圧治具、５１  レンズ保持部材、５２  レンズ、５３  保持枠、５４  凹部、５４ａ  当接部、５６  突起部、５７  位置決め部、５８  カシメ部、７１  レンズ保持部材、７２  レンズ、７３  保持枠、７４  凹部、７４ａ  当接部、７６  弾性変位部、７７  位置決め部、７８  カシメ部
【図１】
2004347996.tif 000003
【図２】
2004347996.tif 000004
【図３】
2004347996.tif 000005
【図４】
2004347996.tif 000006
【図５】
2004347996.tif 000007
【図６】
2004347996.tif 000008
【図７】
2004347996.tif 000009
【図８】
2004347996.tif 000010
【図９】
2004347996.tif 000011
【図１０】
2004347996.tif 000012
【図１１】
2004347996.tif 000013
【図１２】
2004347996.tif 000014
【図１３】
2004347996.tif 000015
【図１４】
2004347996.tif 000016
【図１５】
2004347996.tif 000017
【図１６】
2004347996.tif 000018
【図１７】
2004347996.tif 000019
【図１８】
2004347996.tif 000020
【図１９】
2004347996.tif 000021
【図２０】
2004347996.tif 000022
【図２１】
2004347996.tif 000023
【図２２】
2004347996.tif 000024
【図２３】
2004347996.tif 000025
【図２４】
2004347996.tif 000026
【図２５】
2004347996.tif 000027
【図２６】
2004347996.tif 000028
【図２７】
2004347996.tif 000029
【図２８】
2004347996.tif 000030
【図２９】
2004347996.tif 000031
【図３０】
2004347996.tif 000032
【図３１】
2004347996.tif 000033
【図３２】
2004347996.tif 000034
【図３３】
2004347996.tif 000035
【図３４】
2004347996.tif 000036
【図３５】
2004347996.tif 000037
【図３６】
2004347996.tif 000038